【事件の表示】
　特許第６３３１３１１号発明「ラテラルフロー用テストストリップ」の特許異議申立事件について、次のとおり決定する。
【結　論】
　特許第６３３１３１１号の特許請求の範囲を訂正請求書に添付された訂正特許請求の範囲のとおり、訂正後の請求項〔１−１９〕について訂正することを認める。 
　特許第６３３１３１１号の請求項２、６、７及び１０に係る特許を維持する。 
　特許第６３３１３１１号の請求項１、３ないし５、８、９及び１１ないし１９に係る特許についての特許異議の申立てを却下する。
【理　由】
第１　手続の経緯
　特許第６３３１３１１号の請求項１ないし１９に係る特許についての出願は、平成２５年９月３０日に出願され、平成３０年５月１１日にその特許権の設定登録がされ、同月３０日に特許掲載公報が発行された。本件特許異議の申立ての経緯は、次のとおりである。
平成３０年１１月２９日　　：特許異議申立人　秋本　悠太　による請求項
　　　　　　　　　　　　　　１ないし１９に係る特許に対する特許異議の
　　　　　　　　　　　　　　申立て
平成３１年　１月２８日付け：取消理由通知
　　　同年　４月　２日　　：特許権者による意見書の提出及び訂正の請求
令和　１年　５月２１日　　：特許異議申立人　秋本　悠太　による意見書
　　　　　　　　　　　　　　の提出
　　　同年　６月　４日付け：取消理由通知（決定の予告）
　　　同年　８月　７日　　：特許権者による意見書の提出及び訂正の請求
　なお、特許異議申立人　秋本　悠太　（以下単に「申立人」という。）に対して、特許権者が令和元年８月７日にした訂正の請求（以下「本件訂正請求」という。）に対する意見書を提出する機会を与えたが、申立人による意見書の提出はなかった。
第２　訂正の適否についての判断
１　訂正の内容
（１）本件訂正請求による訂正（以下「本件訂正」という。）は、請求項１ないし１９を一群の請求項として訂正することを求めるものであり、その具体的内容は、以下の訂正事項１ないし１９のとおりである。なお、下線は訂正箇所を示す（訂正事項に係る記載において以下同様。）。
（訂正事項１）
　特許請求の範囲の請求項１を削除する。
（訂正事項２）
　特許請求の範囲の請求項２の「前記所定時間は、前記複合物と前記第二物質との反応が飽和するまでの時間よりも短く、
前記シグナル増加率は、前記分析対象物と前記第一物質との反応開始時から前記所定時間までの前記シグナル強度の時間変化率を利用して算出されることを特徴とする請求項１に記載のラテラルフロー用テストストリップ。」との記載を、「
分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から
い所定時間における
を、
し、算出した前記シグナル増加率を予め設定したシグナル増加率の基準値と比較することで前記分析対象物の濃度を判断するために使用されるラテラルフロー用テストストリップであって、
　前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定され、ブロッキングされている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体は粒子径が２０ｎｍ〜１０００ｎｍの金コロイドであり、
　前記第二物質は抗体であって、前記第二支持体に幅０．５〜２．０ｍｍのライン状に１ｃｍあたり０．１〜２μｇとなる量が固定され、
　前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであり、
　前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である
るラ
　請求項２の記載を直接又は間接的に引用する請求項６、７及び１０も同様に訂正する。
（訂正事項３）
　特許請求の範囲の請求項３を削除する。
（訂正事項４）
　特許請求の範囲の請求項４を削除する。
（訂正事項５）
　特許請求の範囲の請求項５を削除する。
（訂正事項６）
　特許請求の範囲の請求項６に係る「行われることを特徴とする請求項１から請求項５のいずれか一項に」を、「行われ
る請
２
　請求項６の記載を直接又は間接的に引用する請求項７及び１０も同様に訂正する。
（訂正事項７）
　特許請求の範囲の請求項７に係る「行われることを特徴とする請求項１から請求項６のいずれか一項に」を、「行われ
る請
２または請求項６
　請求項７の記載を直接引用する請求項１０も同様に訂正する。
（訂正事項８）
　特許請求の範囲の請求項８を削除する。
（訂正事項９）
　特許請求の範囲の請求項９を削除する。
（訂正事項１０）
　特許請求の範囲の請求項１０に係る「によって第一支持体に固定化されていることを特徴とする請求項１から請求項９の」を、「によって
前記
２、請求項６、請求項７
（訂正事項１１）
　特許請求の範囲の請求項１１を削除する。
（訂正事項１２）
　特許請求の範囲の請求項１２を削除する。
（訂正事項１３）
　特許請求の範囲の請求項１３を削除する。
（訂正事項１４）
　特許請求の範囲の請求項１４を削除する。
（訂正事項１５）
　特許請求の範囲の請求項１５を削除する。
（訂正事項１６）
　特許請求の範囲の請求項１６を削除する。
（訂正事項１７）
　特許請求の範囲の請求項１７を削除する。
（訂正事項１８）
　特許請求の範囲の請求項１８を削除する。
（訂正事項１９）
　特許請求の範囲の請求項１９を削除する。
（２）訂正の単位について
　訂正事項１ないし１９は、訂正前に引用関係を有する請求項１ないし１９に対して請求されたものである。
　よって、本件訂正は、一群の請求項〔１−１９〕に対して請求されている。
２　訂正の目的の適否、新規事項の有無、及び特許請求の範囲の拡張・変更の存否
（１）訂正事項１、３ないし５、８、９及び１１ないし１９について
　訂正事項１、３ないし５、８、９及び１１ないし１９は、それぞれ特許請求の範囲の請求項１、３ないし５、８、９及び１１ないし１９を削除するものであるから、特許法第１２０条の５第２項ただし書き第１号に掲げる特許請求の範囲の減縮を目的とするものであり、本件特許についての出願の願書に添付した明細書、特許請求の範囲又は図面（以下「本件特許明細書等」という。）のすべての記載を総合することにより導かれる技術的事項との関係において、新たな技術的事項を導入しないものであり、実質上特許請求の範囲を拡張し、又は変更するものでもない。
（２）訂正事項２について
ア　訂正の目的の適否
　訂正事項２は、訂正前の請求項２が、訂正前の請求項１を引用して特定されるものであったのを、引用関係を解消して独立形式の請求項とし、
（ア）「分析対象物」について、「抗原であ」ること
（イ）「第一物質」について、「前記分析対象物に特異的親和性のある」「抗体であ」ること
（ウ）「第二物質」について、「前記分析対象物に特異的親和性のある」「抗体であって、前記第二支持体に幅０．５〜２．０ｍｍのライン状に１ｃｍあたり０．１〜２μｇとなる量が固定され」ていること、
（エ）「検出可能なシグナル」について、「光学的手法によって」検出可能であり、「光学的手法により」測定されること、
（オ）「第二支持体」について、「ブロッキングされている」、「ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであ」ること、
（カ）「ラテラルフロー用テストストリップ」について、「前記分析対象物を含む試料が滴下される部材であるサンプルパッドと、前記試料が流れる方向に前記第一物質が標識された粒子であ」り「粒子径が２０ｎｍ〜１０００ｎｍの金コロイドであ」る「第一支持体が乾燥状態で保持されている結合パッドと、」「第二支持体と、前記第二支持体の下流に配置され、毛細管現象により浸潤してきた試料を吸収する吸収パッドと、が直列に連結され」ており、「前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である」こと、
を発明特定事項として追加し、
（キ）「・・・測定し、・・・算出し、・・・判断し、」との方法的な記載を、「・・・測定し、・・・算出し、・・・判断するために使用されるラテラルフロー用テストストリップであって、」と用途を特定する記載にするとともに、表記を整えるものであるから、特許法第１２０条の５第２項ただし書き第４号に掲げる他の請求項の記載を引用する請求項の記載を当該他の請求項の記載を引用しないものとすること、同ただし書き第１号に掲げる特許請求の範囲の減縮、及び、同ただし書き第３号に掲げる明瞭でない記載の釈明を目的とするものである。
イ　新規事項の有無
（ア）上記アの（ア）に係る訂正事項は、本件特許明細書等の段落【００２３】の「本発明の実施形態における分析対象物は、例えば、・・・抗原・・・のいずれか１つである。より詳しくは、例えば、・・・特に、・・・抗原・・・である。」、及び、段落【００５０】の「分析対象物をＰＳＡ（Ｐｒｏｓｔａｔｅ  Ｓｐｅｃｉｆｉｃ  Ａｎｔｉｇｅｎ：前立腺特異抗原）とし、」との記載に基づくものである。
（イ）上記アの（イ）に係る訂正事項は、本件特許明細書等の段落【００２９】の「分析対象物に特異的親和性のある第一物質が標識された粒子」、段落【００３７】の「標識粒子に備わる抗体（第一物質）」、及び、段落【００５１】の「 マウスモノクローナル抗ＰＳＡ抗体（５Ａ６）を透析し、・・・本抗体溶液を加え・・・金コロイド溶液とした。」との記載に基づくものである。
（ウ）上記アの（ウ）に係る訂正事項は、本件特許明細書等の段落【００２９】の「分析対象物に特異的親和性のある第二物質が固相化された部位（テストライン）」、段落【００３９】の「固定化抗体−分析対象物−標識粒子からなる免疫反応が行われる抗体固定化部（テストライン）・・・固定化抗体（第二物質）」、段落【００４０】の「上記メンブレンにおける抗体固定化部（判定部）の形状としては、・・・幅０．５〜２．０ｍｍのライン状であることが好ましく、また、１ｃｍあたりの抗体量が０．１〜２μｇであることが好ましい」、及び、段落【００５０】の「メンブレン固相化抗体にはマウスモノクローナル抗ＰＳＡ抗体１Ｈ１２（ＨｙＴｅｓｔ社製）を使用した」との記載に基づくものである。
（エ）上記アの（エ）に係る訂正事項は、段落【００１０】の「前記シグナルは、光学的、・・・手法のうちいずれか１つによって検出可能なものであり、前記測定は、光学的・・・手法のうちいずれか１つを用いた測定であることとしてもよい」、段落【００３０】の「光学的手法を用いて、第二物質が固定化された部位のシグナルを経時的に検出する」、段落【００４０】の「赤色系／青色系を経時的に検出できる装置としては、イムノクロマトリーダＣ１００６６−１０（浜松ホトニクス社製）等が挙げられる」、及び、段落【００５５】の「滴下開始後、イムノクロマトリーダＣ１００６６−１０（浜松ホトニクス社製）内の測定位置に設置し、１分間隔で３０分間継続して測定した」との記載に基づくものである。
（オ）上記アの（オ）に係る訂正事項は、段落【００４１】の「抗体をメンブレンに固定化した後、タンパク質の非特異的吸着を防ぐために、例えば、アルブミン、カゼイン、ポリビニルアルコール等のブロッキング剤の溶液でそのメンブレンを浸潤させた後に乾燥させるのが好ましい」、段落【００５３】の「メンブレン（ＨｉＦｌｏｗ  Ｐｌｕｓ  ＨＦ１２０、Ｍｉｌｌｉｐｏｒｅ社製）に抗体塗布機ＸＹＺ３０６０（ＢｉｏＤｏｔ社製）で、上記（１）で調整した抗体（固相化抗体）を１μｌ／ｃｍで塗布した。塗布後、０．５％乳性カゼイン溶液でブロッキングし、スクロースや界面活性剤を含む洗浄液で洗浄・安定化して、一晩室温で乾燥させた」、及び、段落【００３４】の「第二物質が固定化されたメンブレン（第二支持体）は、例えば、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成される」との記載に基づくものである。
（カ）上記アの（カ）に係る訂正事項は、段落【００２９】の「本実施形態に係るラテラルフロー用テストストリップは、試料に含まれる分析対象物を検出して定量するものであって、試料滴下部材であるサンプルパッド、試料が流れる方向に分析対象物に特異的親和性のある第一物質が標識された粒子が乾燥固化されている結合パッド、そして分析対象物に特異的親和性のある第二物質が固相化された部位（テストライン）と粒子表面の第一物質を認識する第二物質が固相化された部位（コントロールライン）を持つ展開膜（メンブレン）、更にその下流に毛細管現象により浸潤してきた試料を吸収する吸収パッドの４種の部材が直列に連結されたものである。なお、上述の分析対象物に特異的親和性のある第一物質が標識された粒子は、例えば、平均粒径２０〜１００ｎｍの金コロイド粒子である。」、段落【００５１】の「金コロイド（粒子径４０ｎｍ、田中貴金属工業社製）」、段落【００５４】の「乾燥させたメンブレン、吸収パッド（ＣＦＳＰ２０３０００、Ｍｉｌｌｉｐｏｒｅ社製）、結合パッド、サンプルパッドのそれぞれをバッキングシート（Ａｄｈｅｓｉｖｅ  Ｒｅｓｅａｒｃｈ社製）に貼り付け」、段落【００５６】の「傾きがゼロとなる３０分後でのシグナル強度を各抗原濃度での反応飽和におけるシグナル強度とした」、段落【００５９】の「表２は、測定開始時間（０分）からの所定経過時間を経過算出始点時間とし、１分間隔で算出終点時間を設定し、シグナル強度の傾きと３０分後のシグナル強度との相関係数を算出した結果である。なお、傾きは、各算出始点時間から１分後の算出終点時間までの２点間におけるシグナル強度から算出したものである。」、並びに、段落【００６０】の【表２】中の「算出始点時間（分）」「３」、「４」、「５」及び「６」それぞれに対する「相関係数」「０．９８９７」、「０．９９９２」、「０．９９０９」及び「０．９７１７」との記載に基づくものである。
（キ）よって、訂正事項２は、本件特許明細書等のすべての記載を総合することにより導かれる技術的事項との関係において、新たな技術的事項を導入しないものである。
ウ　特許請求の範囲の拡張・変更の存否
  
 　訂正事項２は、実質上特許請求の範囲を拡張し、又は変更するものではない。
（３）訂正事項６について
ア　訂正の目的の適否
　訂正事項６は、請求項６において、請求項１及び３ないし５の削除に伴い引用する請求項から請求項１及び３ないし５を削除するとともに、物の発明でありながら「行われることを特徴とする請求項・・・記載のラテラルフロー用テストストリップ」と方法的な内容を特徴としていた記載を、「行われる請求項・・・記載のラテラルフロー用テストストリップ」と訂正するものであるから、特許法第１２０条の５第２項ただし書き第１号に掲げる特許請求の範囲の減縮、及び、同ただし書き第３号に掲げる明瞭でない記載の釈明を目的とするものである。
イ　新規事項の有無、特許請求の範囲の拡張・変更の存否
　訂正事項６は、本件特許明細書等のすべての記載を総合することにより導かれる技術的事項との関係において、新たな技術的事項を導入しないものであり、実質上特許請求の範囲を拡張し、又は変更するものではない。
（４）訂正事項７について
ア　訂正の目的の適否
　訂正事項７は、請求項７において、請求項１及び３ないし５の削除に伴い引用する請求項から請求項１及び３ないし５を削除するとともに、物の発明でありながら「行われることを特徴とする請求項・・・記載のラテラルフロー用テストストリップ」と方法的な内容を特徴としていた記載を、「行われる請求項・・・記載のラテラルフロー用テストストリップ」と訂正するものであるから、特許法第１２０条の５第２項ただし書き第１号に掲げる特許請求の範囲の減縮、及び、同ただし書き第３号に掲げる明瞭でない記載の釈明を目的とするものである。
イ　新規事項の有無、特許請求の範囲の拡張・変更の存否
　訂正事項７は、本件特許明細書等のすべての記載を総合することにより導かれる技術的事項との関係において、新たな技術的事項を導入しないものであり、実質上特許請求の範囲を拡張し、又は変更するものではない。
（５）訂正事項１０について
ア　訂正の目的の適否
　訂正事項１０は、請求項１０において、請求項１、３ないし５、８及び９の削除に伴い引用する請求項から請求項１、３ないし５、８及び９を削除するとともに、引用する請求項２が特定事項として「第一支持体」を含むものに訂正されることに伴い、「第一支持体」を「前記第一支持体」に訂正するものであるから、特許法第１２０条の５第２項ただし書き第１号に掲げる特許請求の範囲の減縮、及び、同ただし書き第３号に掲げる明瞭でない記載の釈明を目的とするものである。
イ　新規事項の有無、特許請求の範囲の拡張・変更の存否
　訂正事項１０は、本件特許明細書等のすべての記載を総合することにより導かれる技術的事項との関係において、新たな技術的事項を導入しないものであり、実質上特許請求の範囲を拡張し、又は変更するものではない。
３　小括
　上記のとおり、訂正事項１、３ないし５、８、９及び１１ないし１９に係る訂正は、特許法第１２０条の５第２項ただし書第１号に掲げる事項を目的とするものであり、かつ、同条第９項で準用する同法第１２６条第５項及び第６項の規定に適合する。
　また、訂正事項２に係る訂正は、特許法第１２０条の５第２項ただし書第１号、第３号及び第４号に掲げる事項を目的とするものであり、かつ、同条第９項で準用する同法第１２６条第５項及び第６項の規定に適合する。
　そして、訂正事項６、７及び１０に係る訂正は、特許法第１２０条の５第２項ただし書第１号及び第３号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１−１９〕について訂正することを認める。
第３　訂正後の本件発明
　本件訂正により請求項１、３ないし５、８、９及び１１ないし１９は削除された。そして、本件訂正後の請求項２、６、７及び１０に係る発明（以下それぞれ請求項の番号に対応して「本件訂正発明２」などという。）は、訂正特許請求の範囲の請求項２、６、７及び１０に記載された事項により特定されるとおりのものである。
（本件訂正発明２）
「【請求項２】
　分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して算出し、算出した前記シグナル増加率を予め設定したシグナル増加率の基準値と比較することで前記分析対象物の濃度を判断するために使用されるラテラルフロー用テストストリップであって、
　前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定され、ブロッキングされている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体は粒子径が２０ｎｍ〜１０００ｎｍの金コロイドであり、
　前記第二物質は抗体であって、前記第二支持体に幅０．５〜２．０ｍｍのライン状に１ｃｍあたり０．１〜２μｇとなる量が固定され、
　前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであり、
　前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下であることを特徴とするラテラルフロー用テストストリップ。」
（本件訂正発明６）
「【請求項６】
　前記分析対象物と前記第一物質との反応は、前記分析対象物と前記第一物質とを混合する手段によって行われる請求項２に記載のラテラルフロー用テストストリップ。」
（本件訂正発明７）
「【請求項７】
　前記複合物と前記第二物質との反応は、前記分析対象物と前記第二物質とを混合する手段によって行われる請求項２または請求項６に記載のラテラルフロー用テストストリップ。」
（本件訂正発明１０）
「【請求項１０】
　前記第一物質は、化学結合または物理結合によって前記第一支持体に固定化されていることを特徴とする請求項２、請求項６、請求項７のいずれか一項に記載のラテラルフロー用テストストリップ。」
第４　取消理由通知（決定の予告）に記載した取消理由について
１　取消理由の概要
　本件訂正前の請求項２ないし１８に係る特許に対して、当審が令和元年６月４日付けで特許権者に通知した取消理由の要旨は、次のとおりである。
（１）請求項２ないし１２及び１４ないし１６に係る発明（以下、本件訂正前の各請求項に係る発明を、それぞれ請求項の番号に対応して「本件発明２」などという。）は、甲第１１号証に記載された発明であるから、特許法第２９条第１項第３号に該当する。
　よって、本件発明２ないし１２及び１４ないし１６に係る特許は、特許法第２９条第１項の規定に違反してされたものであり、同法第１１３条第２号に該当し、取り消されるべきものである。
（２）本件発明２ないし１８は、甲第１１号証に記載された発明及び甲第２号証に記載された事項に基づいて、甲第１号証に記載された発明及び周知技術に基づいて、甲第１号証に記載された発明、甲第２号証に記載された事項及び周知技術に基づいて、又は、甲第２号証に記載された発明及び周知技術に基づいて、当業者が容易に発明をすることができたものである。
　よって、本件発明２ないし１８に係る特許は、特許法第２９条第２項の規定に違反してされたものであり、同法第１１３条第２号に該当し、取り消されるべきものである。
甲第１１号証：特開２０００−２６６７５２号公報（以下「甲１１」という。）
甲第１号証：国際公開第２００５／１２１７９４号（以下「甲１」という。）
甲第２号証：国際公開第２０１０／０５８４７２号（以下「甲２」という。）
甲第１２号証：特表２００４−５２６１５６号公報（以下「甲１２」という。）（周知例）
２　甲１１について
（１）甲１１には、以下の記載がある。
（甲１１−ア）「【発明の詳細な説明】
【０００１】
【発明の属する技術分野】本発明は、水中微生物を検出する検出装置や、体液中の微量マーカー物質を検出する診断装置に関する。さらに詳しくは、簡便かつ迅速な測定が可能な免疫クロマトグラフィーの性能向上を図るものである。
【０００２】
【従来の技術】免疫クロマトグラフィーは、抗原抗体反応の高い特異性と検出感度を利用し、測定すべき物質と特異的に反応する物質（抗体）を検出手段の材料として用いた測定方法である。この方法は現在、体外診断薬の基盤技術として広く利用されている。なかでも、妊娠診断薬は典型的な免疫クロマトグラフィーデバイスであり、その代表的な構造が、たとえば米国特許第５６０２０４０号に開示されている。
【０００３】以下に、最も簡単な免疫クロマトグラフィーの構造と動作について、妊娠検査器を例にして説明する。図1に典型的な
免疫クロマトグラフィーデバイス
多孔質担体１
担体の一端にある試料導入部２は、試料が迅速に吸収され、しかしながら保持力は弱く、速やかに反応部に試料が流れていくような性質の、ガラスろ紙などの多孔質担体で構成されている
【０００４】
標識部３は、金コロイド
に吸着した抗hCG抗体の水溶液をガラスろ紙に含浸させた後、凍結乾燥させることにより作製したもの
判定部４は、ニトロセルロースのシート上に抗体の水溶液を任意の形状に滴下した後乾燥し、洗浄することにより作製したもの
ニトロセルロースの非常に強固な非特異吸着特性により、抗体がニトロセルロース上に担持されている
抗体を固定化した後、検出反応の際の非特異吸着によるバックグラウンドの発色を防止するため、たとえば牛血清アルブミン（ＢＳＡ）などで表面処理を施すことができる
この操作はブロッキングと呼ばれている
担体の他方の端部にある吸液部５は、過剰の試料を迅速に吸収するため、優れた吸液力、吸液容量を有する材料、ガラスろ紙が、たとえば用いられる
【０００５】試料として、女性の尿をクロマトグラフィーデバイスの形状にあわせて定められた量（通常0.1〜2ml）を試料導入部２に添加する。試料は標識部３を経由し、判定部４を通過して、吸液部５に向かって移動する。その際、標識部３を試料が通過する際には、標識部に担持されていた標識抗体が試料の水分に溶解し試料とともに移動を開始する。その後、溶解した標識抗体は判定部４を経過する。ここで、抗原・抗体の特異的結合反応に基づき、陽性の場合、判定部４で固定化抗体と標識抗体とが抗原を介して反応し、判定部が着色される。陰性の場合は、反応が起こらず、標識抗体が判定部４を通過し吸液部５に吸収される。これにより、水性試料液中の抗原の有無を判定することができる。」
（甲１１−イ）「【０００７】本発明は、上記に鑑み、水性試料液中の抗原を正確に定量測定することができる、免疫クロマトグラフィー測定装置を提供することを目的とする。」
（甲１１−ウ）「【００１３】本発明の
免疫クロマトグラフィー測定装置
免疫クロマトグラフィーデバイスの試料導入部に検体試料を
定められた量
添加し、３分〜２０分水平状態で静置して判定部に呈色像を形成させる
形成した呈色像を
ＣＣＤカメラを用いて撮像し、得られた画像の彩度・明度を調整した後、バックグラウンドの補正を行って呈色像を強調する
この強調された画像の呈色度をＸ成分およびＹ成分ついて測定し、その積分値
を求め、解析装置内にあらかじめ保有させておいた積分値と測定対象物濃度との相関関係の情報を用いて、積分値に対応する濃度の値を求める
【００１４】
【実施例】以下に本発明の実施例をあげてさらに詳しく説明する。なお、本実施例においては、イメージセンサとしてＣＣＤカメラ、解析装置としてパーソナルコンピュータ、
測定対象物としてサルモネラ菌を用いた
（甲１１−エ）「【００２２】＜サルモネラ菌の測定＞以下に、
サルモネラ菌を対象として
【００２３】１）呈色度の積分値とサルモネラ菌濃度との相関関係
サルモネラ菌の濃度がそれぞれ０、１０５、１０６、１０７、１０８、１０９cells／mlの試料２５０μlを、試料導入部６に添加し、10分間水平状態で静置した後、判定部の呈色度を前述した手法によって測定し、得られた積分値と試料中のサルモネラ菌濃度との相関関係を求めた。その結果を図３に示す。
【００２４】２）未知濃度の検体試料の測定
前述の相関関係を用いて、未知濃度の検体試料の測定を行った。各試料について測定した判定部の呈色度（積分値）と、その値から求めたサルモネラ菌の濃度を図４に示す。
【００２５】
【発明の効果】以上述べたように、本発明の装置を用いれば、従来定性判定のみに利用されてきた免疫クロマトグラフィーで、定量的な測定が可能となる。また、免疫クロマトグラフィーに適した画像強調を施すことにより、クロマトの持つ弱点（低濃度領域での薄い発色やバックグラウンドの発色）を補うことができ、結果としてその性能を向上させることができる。これにより、これまでバックグラウンドや呈色度等の理由から免疫クロマトグラフィーでの測定が困難であった物質、たとえば血液中の各種マーカ等、多くのものが測定できるようになる。」
（甲１１−オ）【図１】
「
　　　　　　　　　　　　　　　　　　　　　　　　　　　　　」
（甲１１−カ）【図２】
「
　　　　　　　　　　　　　　　　　　　　　　　　　　　　　」
（２）甲１１に記載された発明
ア　（甲１１−カ）の【図２】には、免疫クロマトグラフィー測定装置の構成が示されているが、免疫クロマトグラフィーデバイスの詳細は示されていない。また、甲１１全体の記載を見ても、免疫クロマトグラフィー測定装置における免疫クロマトグラフィーデバイスの詳細に関する記載は見当たらない。
　そして、甲１１には、免疫クロマトグラフィー測定装置により免疫クロマトグラフィーデバイスの呈色像を撮像するために、免疫クロマトグラフィーデバイスが特別な構造を有する必要があると解される記載もない。
　そうすると、甲１１に記載された免疫クロマトグラフィー測定装置における免疫クロマトグラフィーデバイスの構造は、甲１１の【従来の技術】に記載された免疫クロマトグラフィーデバイスと同様のものであると解するのが相当である。
イ　また、実施例において、測定対象物としてサルモネラ菌を用いていることから、標識抗体及び捕捉抗体として抗サルモネラ菌抗体を用いているものと認められる。
ウ　（甲１−イ）の【図１】の記載から、直線状の多孔質担体１の一端側から他端側にかけて、試料導入部２、標識部３、判定部４及び吸液部５が順に形成されている点が見て取れる。
エ　そうすると、（甲１１−ア）ないし（甲１１−カ）の記載から、甲１１には、
「　免疫クロマトグラフィーデバイスの試料導入部２に検体試料を定められた量添加し、３分〜２０分水平状態で静置して判定部４に呈色像を形成させ、形成した呈色像をＣＣＤカメラを用いて撮像し、得られた画像の彩度・明度を調整した後、バックグラウンドの補正を行って呈色像を強調し、この強調された画像の呈色度をＸ成分およびＹ成分ついて測定し、その積分値を求め、解析装置内にあらかじめ保有させておいた積分値と測定対象物であるサルモネラ菌濃度との相関関係の情報を用いて、積分値に対応する濃度の値を求める免疫クロマトグラフィー測定装置において使用する、免疫クロマトグラフィーデバイスであって、
　直線状の多孔質担体１の一端側から他端側にかけて、試料導入部２、標識部３、判定部４及び吸液部５が順に形成されており、
　多孔質担体１の一端にある試料導入部２は、試料が迅速に吸収され、しかしながら保持力は弱く、速やかに反応部に試料が流れていくような性質の、ガラスろ紙などの多孔質担体で構成されており、
　標識部３は、金コロイドに吸着した抗サルモネラ菌抗体の水溶液をガラスろ紙に含浸させた後、凍結乾燥させることにより作製したものであり、
　判定部４は、ニトロセルロースのシート上に抗サルモネラ菌抗体の水溶液を任意の形状に滴下した後乾燥し、洗浄することにより作製したものであり、ニトロセルロースの非常に強固な非特異吸着特性により、抗サルモネラ菌抗体がニトロセルロース上に担持されており、抗サルモネラ菌抗体を固定化した後、検出反応の際の非特異吸着によるバックグラウンドの発色を防止するため、牛血清アルブミン（ＢＳＡ）などでブロッキングと呼ばれている表面処理を施してあり、
　多孔質担体１の他方の端部にある吸液部５は、過剰の試料を迅速に吸収するため、優れた吸液力、吸液容量を有するガラスろ紙が用いられている、
免疫クロマトグラフィーデバイス。」
の発明（以下「甲１１発明」という。）が記載されているものと認められる。
３　甲１について
（１）甲１には、以下の記載がある（下線は当審で付加した。以下同様。）。
（甲１−ア）「［００６８］　本発明を以下の実施例によって具体的に説明するが、本発明はこれらの実施例によって限定されるものではない。
［００６９］実施例１　
Ａ型インフルエンザウイルスの検出
（1）金コロイド抗体の調製
 10mLの金コロイドを取り、100mM炭酸カリウムでpHを7.0に調整する。２mMホウ酸溶液で透析、遠心分離し精製した抗Ａ型インフルエンザウイルスモノクローナル抗体を２mMホウ酸溶液で100μg/mLの濃度になるように調製する。調製した抗Ａ型インフルエンザウイルスモノクローナル抗体の最終濃度が10μg/mLとなる量を十分撹拌させながら金コロイドに加える。５分後10%BSAを1mL加え、穏やかに10分間ローテーターで撹拌する。全量を遠心管に移し、14000rpm、30分、４℃で遠心する。遠心後上清を吸引廃棄し、沈殿している
金コロイドと抗Ａ型インフルエンザウイルスモノクローナル抗体の感作されたものに、10mMホウ酸緩衝液１mLで浮遊する
［００７０］(2)金コロイド抗体の乾燥化
 前項で作製した
金コロイド抗体
ポリスチレン不織布に噴霧する
減圧乾燥し、乾燥金コロイド抗体パッドとした
標識試薬部位３として用いた
［００７１］（３）DEAE-Dextranパッドの作製
 
ガラス系繊維濾紙を２〜10％DEAE-Dextran溶液に浸漬し
乾燥させ
機能部位１として用いた
［００７２］（４）固相支持体６及び捕捉試薬部位４及び対照部位５の設定
 
捕捉試薬として抗インフルエンザウイルスモノクローナル抗体を2.0OD
280
になるよう調製した10mMトリス緩衝液（pH7.5）、及び対照用試薬としてAnti-Mouse IgG(Dako社）を3.8mg/mlになるよう調製した10mMリン酸溶液（pH7.5）をそれぞれ
1.04μl/cmで
Millipore Highflow HF12004(Millipore)に塗布し
乾燥させ
固相支持体６として用いた
［００７３］（５）
イムノクロマトグラフィー式検出装置
 
トップラミネート８上に捕捉試薬部位４及び対照部位５を含む固相支持体６を配置し、標識試薬部位３、機能部位１、検体供給部位２としてガラス系繊維濾紙、吸収部位７として厚めの濾紙を用いて任意の場所に配置した
［００７４］（６）検出方法
 陽性検体として、Ａ型インフルエンザウイルス抗原をリン酸緩衝液に浮遊させたものを使用した。また、非特異検体としてコンドロイチン硫酸を２％になるようリン酸緩衝液に浮遊したものを使用した。前項で制作した機能部位１を含む発明品と機能部位１を含まない従来品をそれぞれ各検体150μｌに検体供給部位２を浸漬して、コンドロイチン硫酸による非特異反応を比較試験した。
［００７５］（７）試験結果
 従来品は陽性検体に対して陽性反応を示したが、非特異検体に対しても陽性反応を示した。一方、発明品においては陽性検体に対して陽性反応を示し、非特異検体に対しては陰性を示した。」
（甲１−イ）［図３］
「
　　　　　　　　　　　　　　　　　　　　　　　　　　　　　　」
（２）甲１に記載された発明
　（甲１−イ）の［図３］の記載から、固相支持体６の捕捉試薬部位４側の端部に標識試薬部位３、機能部位１及び検体供給部位２を配置し、対照部位５側の端部に吸収部位７を配置している点が見てとれる。
　そして、（甲１−イ）の［図３］に記載されたイムノクロマトグラフィー式検出装置の構造から、ラテラルフロー式のイムノクロマトグラフィー式検出装置であることは明らかである。
　そうすると、（甲１−ア）及び（甲１−イ）の記載から、甲１には、
「　トップラミネート８上に捕捉試薬部位４及び対照部位５を含む固相支持体６を配置し、固相支持体６の捕捉試薬部位４側の端部に標識試薬部位３、機能部位１及び検体供給部位２を配置し、対照部位５側の端部に吸収部位７を配置した、ラテラルフロー式のイムノクロマトグラフィー式検出装置であって、
　固相支持体６は、捕捉試薬として抗インフルエンザウイルスモノクローナル抗体を2.0OD280になるよう調製した10mMトリス緩衝液（pH7.5）、及び対照用試薬としてAnti-Mouse IgG(Dako社）を3.8mg/mlになるよう調製した10mMのリン酸溶液（pH7.5）を、それぞれ1.04μl/cmでMillipore Highflow HF12004(Millipore)に塗布して乾燥させたものであり、
　標識試薬部位３は、金コロイドと抗Ａ型インフルエンザウイルスモノクローナル抗体の感作されたものを10mMホウ酸緩衝液１mLに浮遊させた金コロイド抗体をポリスチレン不織布に噴霧して減圧乾燥し、乾燥金コロイド抗体パッドとしたものであり、
　機能部位１は、ガラス系繊維濾紙を２〜10％DEAE-Dextran溶液に浸漬し乾燥させたものであり、
　検体供給部位２は、ガラス系繊維濾紙であり、
　吸収部位７は、厚めの濾紙である、
Ａ型インフルエンザウイルスの検出に用いるラテラルフロー式のイムノクロマトグラフィー式検出装置。」
の発明（以下「甲１発明」という。）が記載されているものと認められる。
４　甲２について
（１）甲２には、以下の記載がある。
（甲２−ア）「［００１４］ さらに、試薬保持部９２に固定された試薬には、検体との反応によっていったん呈色した後に不当に長い時間が経過すると、退色または変色してしまうものがあり、色が薄くなってしまうことがある。また
単位時間当たりの発色スピードを測定する
レートアッセイ
試験片Ｙ
イムノクロマトグラフィ装置Ｘに装填
（２）甲２に記載された発明
　（甲２−ア）の記載から、甲２には、
「　試験片Ｙをイムノクロマトグラフィ装置Ｘに装填して、単位時間当たりの発色スピードを測定するレートアッセイを行うこと」（以下「甲２技術事項」という。）、及び、
「イムノクロマトグラフィ装置Ｘに装填して行う単位時間当たりの発色スピードを測定するレートアッセイに用いる試験片Ｙ。」（以下「甲２発明」という。）
が記載されているものと認められる。
５　甲１２について
　甲１２には、以下の記載がある。
（甲１２−ア）「【００５４】
実施例
ミオグロビンを対象としたサンドイッチアッセイ法
直径約0.3ミクロンのラテックス粒子（Interfacial Dynamics、Portland、OR）を入手し、粒子内にインターカレートする蛍光色素で着色した（Molecular Probes、Eugene OR、またはDuke Scientific、Palo Alto、CA）。着色後のラテックス粒子を、分析物結合抗体と以下の手順で結合した。まず粒子を遠心分離して洗浄し、リン酸緩衝液中に約0.2%（固体）の濃度になるように再懸濁した。抗体（ミオグロビンに対するマウス抗体）を1 mg/mlの濃度になるように調製した。次に0.5 mlの2%ラテックス粒子懸濁物を4 mlの抗体溶液に添加し、抗体と粒子間に共有結合をもたらすような、シアノホウ化水素ナトリウムおよびスキムミルクの溶液とインキュベートし、粒子の残りの表面をスキムミルクタンパク質で飽和させた。この懸濁物を次にボルテックミキサーで攪拌し、超音波処理を行って凝集物を破壊した。
【００５５】
膜ストリップは、ニトロセルロース膜（Sartorius）を用いて作製した
【００５６】
膜ストリップをポリビニルアルコール（PVA）の1%溶液に浸してブロックし、余分なタンパク質結合を防いだ
【００５７】
次に分析物結合粒子を、膜ストリップの接触領域にアプライした。最初に接触領域に30%ショ糖溶液でストライプをつけてから乾燥した。次に粒子を0.1%の懸濁物として、2 μl/cmのストライプ生成速度でアプライした。次に、膜を乾燥させてからアッセイ法を行った。」
（甲１２−イ）【図１】
「
　　　　　　　　　　　　　　　　　　　　　　　　　　　　　」
６　当審の判断
（１）特許法第２９条第１項第３号に係る取消理由について
ア　本件訂正発明２について
（ア）本件訂正発明２と甲１１発明とを対比する。
ａ　甲１１発明の「測定対象物であるサルモネラ菌」、「金コロイドに吸着した抗サルモネラ菌抗体」、「ニトロセルロース上に担持されて」いる「抗サルモネラ菌抗体」、「呈色像」、「ＣＣＤカメラを用いて撮像し」、「画像の呈色度」、「解析装置内にあらかじめ保有させておいた積分値と測定対象物であるサルモネラ菌濃度との相関関係の情報」及び「濃度の値を求める」は、それぞれ本件訂正発明２の「分析対象物」である「抗原」、「前記分析対象物に特異的親和性のある第一物質」である「抗体」、「前記分析対象物に特異的親和性のある第二物質」である「抗体」、「光学的手法によって検出可能なシグナル」、「光学的手法により測定し」、「シグナルの強度」、「基準値」及び「濃度を判断する」に相当する。
ｂ　甲１１発明の「免疫クロマトグラフィーデバイス」において、「サルモネラ菌」を含む「検体試料」を「試料導入部２」に「添加し」た場合、「標識部３」に流れた「サルモネラ菌」が「金コロイドに吸着した抗サルモネラ菌抗体」と結合し、更にその結合体が「判定部４」に流れて「ニトロセルロースのシート上」の「抗サルモネラ菌抗体」と結合し、「呈色像を形成」することは明らかである。
ｃ　上記ａ及びｂを踏まえると、甲第１１発明の「免疫クロマトグラフィーデバイス」と、本件訂正発明２の「分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して算出し、算出した前記シグナル増加率を予め設定したシグナル増加率の基準値と比較することで前記分析対象物の濃度を判断するために使用されるラテラルフロー用テストストリップ」とは、「分析対象物と前記分析対象物に特異的親和性のある第一物質との反応によって形成された複合物と、前記分析対象物に特異的親和性のある第二物質と、を反応させることで発生する光学的手法によって検出可能なシグナルを光学的手法により測定し、測定した前記シグナルの強度に関する情報を予め設定した基準値と比較することで前記分析対象物の濃度を判断するために使用されるラテラルフロー用テストストリップ」で共通する。
ｄ　甲１１発明の「ガラスろ紙などの多孔質担体で構成されて」いる「検体試料を定められた量添加」する「試料導入部２」は、本件訂正発明２の「前記分析対象物を含む試料が滴下される部材であるサンプルパッド」に相当する。
ｅ　甲１１発明の「抗サルモネラ菌抗体」が「吸着した」「金コロイド」は、本件訂正発明２の「前記第一物質が標識された粒子である第一支持体」である「金コロイド」に相当する。
ｆ　上記ｄ及びｅを踏まえると、甲１１発明の「試料導入部２」の次に形成されている「金コロイドもしくは着色ラテックスに吸着した抗サルモネラ菌抗体の水溶液をガラスろ紙に含浸させた後、凍結乾燥させることにより作製したものであ」る「標識部３」は、本件訂正発明２の「前記試料が流れる方向に前記第一物質が標識された粒子である第一支持体が乾燥状態で保持されている結合パッド」に相当する。
ｇ　甲１１発明の「抗サルモネラ菌抗体の水溶液を任意の形状に滴下した後乾燥し、洗浄することにより作製したものであり、ニトロセルロースの非常に強固な非特異吸着特性により、抗サルモネラ菌抗体がニトロセルロース上に担持されており、抗サルモネラ菌抗体を固定化した後、検出反応の際の非特異吸着によるバックグラウンドの発色を防止するため、牛血清アルブミン（ＢＳＡ）などでブロッキングと呼ばれている表面処理を施してあ」る、「判定部４」である「ニトロセルロースのシート」は、本件訂正発明２の「前記第二物質が化学結合または物理結合によって固定され、ブロッキングされている第二支持体」に相当する。
ｈ　甲１１発明の「判定部４」の次に形成されている「過剰の試料を迅速に吸収するため、優れた吸液力、吸液容量を有するガラスろ紙が用いられている」「吸液部５」は、本件訂正発明２の「前記第二支持体の下流に配置され、毛細管現象により浸潤してきた試料を吸収する吸収パッド」に相当する。
ｉ　甲１１発明の「直線状の多孔質担体１の一端側から他端側にかけて、試料導入部２、標識部３、判定部４及び吸液部５が順に形成されて」いることは、本件訂正発明２の「サンプルパッドと、」「結合パッドと、」「第二支持体と、」「吸収パッドと、が直列に連結されていること」に相当する。
ｊ　甲１１発明の「ニトロセルロースのシート」は、本件訂正発明２の「前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであ」ることを満たす。
（イ）そうすると、本件訂正発明２と甲１１発明とは、
「　分析対象物と前記分析対象物に特異的親和性のある第一物質との反応によって形成された複合物と、前記分析対象物に特異的親和性のある第二物質と、を反応させることで発生する光学的手法によって検出可能なシグナルを光学的手法により測定し、測定した前記シグナルの強度に関する情報を予め設定した基準値と比較することで前記分析対象物の濃度を判断するために使用されるラテラルフロー用テストストリップであって、
　前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定され、ブロッキングされている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体金コロイドであり、
　前記第二物質は抗体であって、前記第二支持体に固定され、
　前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンである、
ラテラルフロー用テストストリップ。」
の発明である点において一致し、次の相違点１ないし４において相違する。
（相違点１）
　分析対象物の濃度を判断するために用いる「シグナルの強度に関する情報」及び「基準値」について、本件訂正発明２においては、それぞれ「前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して」「算出した前記シグナル増加率」及び「シグナル増加率の基準値」と特定されているのに対し、甲１１発明においては、それぞれ「画像の呈色度をＸ成分およびＹ成分ついて測定し」たもの「の積分値」及び「積分値と測定対象物であるサルモネラ菌濃度との相関関係の情報」と特定されている点。
（相違点２）
　第一支持体である金コロイドの粒子径が、本件訂正発明２においては、「２０ｎｍ〜１０００ｎｍ」であるのに対し、甲１１発明においては、粒子径が特定されていない点。
（相違点３）
　第二支持体に固定される第二物質である抗体について、本件訂正発明２においては、「幅０．５〜２．０ｍｍのライン状に１ｃｍあたり０．１〜２μｇとなる量が固定され」ているのに対し、甲１１発明においては、「抗サルモネラ菌抗体の水溶液を任意の形状に滴下した後乾燥」させて「固定化した」ものであり、「固定化」される「抗サルモネラ菌抗体」の量は不明である点。
（相違点４）
　本件訂正発明２は、「前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である」のに対し、甲１１発明は、そのような相関係数が不明である点。
（ウ）上記相違点４について検討する。
　特定の時間におけるシグナル強度の時間変化率の反応飽和時における前記シグナル強度に対する相関係数は、ラテラルフロー用テストストリップを構成する標識抗体、標識及び捕捉抗体の種類及び量並びにメンブレンの種類などに応じて異なるものと認められるところ、甲１１発明においては、標識となる金コロイド並びに標識抗体及び捕捉抗体となる抗サルモネラ菌抗体の量は不明であり、甲１１発明が、測定の開始時から３分、４分、５分、６分経過時を始点とした１分間を測定時間としたときの、前記測定時間における画像の呈色度の時間変化率の、反応飽和時における前記画像の呈色度に対する相関係数が、０．９７１７以上０．９９９２以下であることを満たすといえる根拠は見いだせない。
　そうすると、上記相違点４は実質的な相違点である。
　よって、本件訂正発明２は甲１１発明でない。
イ　本件訂正発明６、７及び１０について
　本件訂正発明６、７及び１０は、本件訂正発明２の発明特定事項を全て含むものであるところ、本件訂正発明２が甲１１発明でないことは、上記アで検討したとおりであるから、本本件訂正発明６、７及び１０も本件訂正発明２と同じ理由により、甲１１発明でない。
ウ　本件訂正により請求項３ないし５、８、９及び１１ないし１８は削除されたため、本件訂正前の請求項３ないし５、８、９及び１１ないし１８に係る取消理由の対象となる請求項は存在しない。
（２）特許法第２９条第２項に係る取消理由について
ア　甲１１発明を主引用発明とした場合について
（ア）　本件訂正発明２について
ａ　本件訂正発明２と甲１１発明との対比、一致点及び相違点は、上記（１）ア（ア）及び（イ）に示したとおりである。
ｂ　事案に鑑み、最初に上記相違点４について検討する。
　甲２は、試験片Ｙをイムノクロマトグラフィ装置Ｘに装填して、単位時間当たりの発色スピードを測定するレートアッセイを行うこと（甲２技術事項）を開示するが、発色スピードの算出方法及び算出タイミングについての詳細、並びに、発色スピードの反応飽和時の測定値に対する相関係数を開示又は示唆する記載は見当たらない。
　また、レートアッセイにおいて、測定の開始時から３分、４分、５分、６分経過時を始点とした１分間を測定時間としたときの、前記測定時間におけるシグナル強度の時間変化率の、反応飽和時における前記シグナル強度に対する相関係数が、０．９７１７以上０．９９９２以下とすることが、本件特許に係る出願の出願時における技術常識であったとも認められない。
　そうすると、仮に、甲１１発明を用いてレートアッセイを行うとしても、測定の開始時から３分、４分、５分、６分経過時を始点とした１分間を測定時間としたときの、前記測定時間における画像の呈色度の時間変化率の、反応飽和時における前記画像の呈色度に対する相関係数が、０．９７１７以上０．９９９２以下となるように、標識である金コロイド並びに標識抗体及び捕捉抗体である抗サルモネラ菌抗体の量などを調整することは、当業者といえども容易に想起し得たこととはいえない。
ｃ　したがって、上記相違点１ないし３について検討するまでもなく、本件訂正発明２は、甲１１発明及び甲２技術事項に基づいて当業者が容易に発明をすることができたものとはいえない。
（イ）本件訂正発明６、７及び１０について
　本件訂正発明６、７及び１０は、本件訂正発明２の発明特定事項を全て含むものであるところ、本件訂正発明２が甲１１発明及び甲２技術事項に基づいて当業者が容易に発明をすることができたものとはいえないことは、上記（ア）で検討したとおりであるから、本件訂正発明６、７及び１０も本件訂正発明２と同じ理由により、甲１１発明及び甲２技術事項に基づいて当業者が容易に発明をすることができたものとはいえない。
（ウ）本件訂正により請求項３ないし５、８、９及び１１ないし１８は削除されたため、本件訂正前の請求項３ないし５、８、９及び１１ないし１８に係る取消理由の対象となる請求項は存在しない。
イ　甲１発明を主引用発明とした場合について
（ア）本件訂正発明２について
ａ　本件訂正発明２と甲１発明とを対比する。
（ａ）甲１発明の「Ａ型インフルエンザウイルス」、「抗Ａ型インフルエンザウイルスモノクローナル抗体」及び「抗インフルエンザウイルスモノクローナル抗体」は、それぞれ本件訂正発明２の「分析対象物」である「抗原」、「前記分析対象物に特異的親和性のある第一物質」である「抗体」及び「前記分析対象物に特異的親和性のある第二物質」である「抗体」に相当する。
（ｂ）甲１発明の「ラテラルフロー式のイムノクロマトグラフィー式検出装置」において、「Ａ型インフルエンザウイルス」を含む検体を付与した場合、「Ａ型インフルエンザウイルス」と「標識試薬部位３」にある「金コロイド」と「感作された」「抗Ａ型インフルエンザウイルスモノクローナル抗体」が結合し、更にその結合体の「Ａ型インフルエンザウイルス」が「固相支持体６の捕捉試薬部位４」にある「抗インフルエンザウイルスモノクローナル抗体」に結合し、目視可能な発色を呈することは明らかである。
（ｃ）上記（ａ）及び（ｂ）を踏まえると、甲１発明の「ラテラルフロー式のイムノクロマトグラフィー式検出装置」と、本件訂正発明２の「分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して算出し、算出した前記シグナル増加率を予め設定したシグナル増加率の基準値と比較することで前記分析対象物の濃度を判断するために使用されるラテラルフロー用テストストリップ」とは、「分析対象物と前記分析対象物に特異的親和性のある第一物質との反応によって形成された複合物と、前記分析対象物に特異的親和性のある第二物質と、を反応させることで発生する、光学的手法によって検出可能なシグナルを発生させるために使用されるラテラルフロー用テストストリップ」で共通する。
（ｄ）甲１発明の「ガラス系繊維濾紙であ」る「検体供給部位２」は、本件訂正発明２の「前記分析対象物を含む試料が滴下される部材であるサンプルパッド」に相当する。
（ｅ）甲１発明の「抗Ａ型インフルエンザウイルスモノクローナル抗体」が「感作された」「金コロイド」は、本件訂正発明２の「前記第一物質が標識された粒子である第一支持体」である「金コロイド」に相当する。
（ｆ）上記（ｅ）を踏まえると、甲１発明の「固相支持体６の捕捉試薬部位４側の端部に」「配置」され、「金コロイドと抗Ａ型インフルエンザウイルスモノクローナル抗体の感作されたものを10mMホウ酸緩衝液１mLに浮遊させた金コロイド抗体をポリスチレン不織布に噴霧して減圧乾燥し、乾燥金コロイド抗体パッドとしたものであ」る「標識試薬部位３」は、本件訂正発明２の「前記試料が流れる方向に前記第一物質が標識された粒子である第一支持体が乾燥状態で保持されている結合パッド」に相当する。
（ｇ）甲１発明の「捕捉試薬として抗インフルエンザウイルスモノクローナル抗体を2.0OD280になるよう調製した10mMトリス緩衝液（pH7.5）、及び対照用試薬としてAnti-Mouse IgG(Dako社）を3.8mg/mlになるよう調製した10mMのリン酸溶液（pH7.5）を、それぞれ1.04μl/cmでMillipore Highflow HF12004(Millipore)に塗布して乾燥させたものであ」る「固相支持体６」と、本件訂正発明２の「前記第二物質が化学結合または物理結合によって固定され、ブロッキングされている第二支持体」とは、「前記第二物質が化学結合または物理結合によって固定されている第二支持体」で共通する。
（ｈ）甲１発明の「固相支持体６の」「対照部位５側の端部に」「配置」された「厚めの濾紙である」「吸収部位７」は、本件訂正発明２の「前記第二支持体の下流に配置され、毛細管現象により浸潤してきた試料を吸収する吸収パッド」に相当する。
（ｉ）甲１発明の「捕捉試薬部位４及び対照部位５を含む固相支持体６」「の捕捉試薬部位４側の端部に標識試薬部位３、機能部位１及び検体供給部位２を配置し、対照部位５側の端部に吸収部位７を配置した」ことは、本件訂正発明２の「サンプルパッドと、」「結合パッドと、」「第二支持体と、」「吸収パッドと、が直列に連結されていること」に相当する。
ｂ　そうすると、本件訂正発明２と甲１発明とは、
「　分析対象物と前記分析対象物に特異的親和性のある第一物質との反応によって形成された複合物と、前記分析対象物に特異的親和性のある第二物質と、を反応させることで発生する、光学的手法によって検出可能なシグナルを発生させるために使用されるラテラルフロー用テストストリップであって、
　前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定されている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体は金コロイドであり、
　前記第二物質は抗体であって、前記第二支持体に固定されている、
ラテラルフロー用テストストリップ。」
の発明である点において一致し、次の相違点５ないし１０において相違する。
（相違点５）
　分析対象物と前記分析対象物に特異的親和性のある第一物質との反応によって形成された複合物と、前記分析対象物に特異的親和性のある第二物質と、を反応させることで発生する、光学的手法によって検出可能なシグナルを発生させるために使用されるラテラルフロー用テストストリップが、本件訂正発明２は、「光学的手法によって検出可能なシグナルを光学的手法により測定し、測定した前記シグナルの強度から前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して算出し、算出した前記シグナル増加率を予め設定したシグナル増加率の基準値と比較することで前記分析対象物の濃度を判断するために使用される」（以下「本件特定事項１」という。）と特定されているのに対し、甲１発明は、「抗Ａ型インフルエンザウイルスモノクローナル抗体」との反応によって形成された複合物と、「抗インフルエンザウイルスモノクローナル抗体」とを反応させることで発生する、光学的手法によって検出可能なシグナルを検出して「Ａ型インフルエンザウイルス」の存在を判断するために使用されるものであるが、本件特定事項１のような特定がされていない点。
（相違点６）
　前記第二物質が化学結合または物理結合によって固定されている第二支持体が、本件訂正発明２は、「ブロッキングされている」のに対し、甲１発明は、そのような特定がされていない点。
（相違点７）
　第一支持体である金コロイドの粒子径が、本件訂正発明２においては、「２０ｎｍ〜１０００ｎｍ」であるのに対し、甲１発明においては、粒子径が特定されていない点。
（相違点８）
　第二支持体に固定される第二物質である抗体について、本件訂正発明２においては、「幅０．５〜２．０ｍｍのライン状に１ｃｍあたり０．１〜２μｇとなる量が固定され」ているのに対し、甲１発明においては、「捕捉試薬として抗インフルエンザウイルスモノクローナル抗体を2.0OD280になるよう調製した10mMトリス緩衝液（pH7.5）」を「1.04μl/cmで」「塗布して乾燥させた」点。
（相違点９）
　第二支持体が、本件訂正発明２は、「ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであ」るのに対し、甲１発明は、「Millipore Highflow HF12004(Millipore)」で構成される「固相支持体６」であるものの、素材は明らかではない点。
（相違点１０）
　本件訂正発明２は、「前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である」のに対し、甲１発明は、そのような相関係数が不明である点。
ｃ　事案に鑑み、最初に上記相違点１０について検討する。
　甲２は、試験片Ｙをイムノクロマトグラフィ装置Ｘに装填して、単位時間当たりの発色スピードを測定するレートアッセイを行うこと（甲２技術事項）を開示するが、発色スピードの算出方法及び算出タイミングについての詳細、並びに、発色スピードの反応飽和時の測定値に対する相関係数を開示又は示唆する記載は見当たらない。
　また、レートアッセイにおいて、測定の開始時から３分、４分、５分、６分経過時を始点とした１分間を測定時間としたときの、前記測定時間におけるシグナル強度の時間変化率の、反応飽和時における前記シグナル強度に対する相関係数が、０．９７１７以上０．９９９２以下とすることが、本件特許に係る出願の出願時における技術常識であったとも認められない。
　そうすると、仮に、甲１発明を用いてレートアッセイを行うとしても、測定の開始時から３分、４分、５分、６分経過時を始点とした１分間を測定時間としたときの、前記測定時間における発色の時間変化率の、反応飽和時における前記発色に対する相関係数が、０．９７１７以上０．９９９２以下となるように、標識である金コロイド、標識抗体である抗Ａ型インフルエンザウイルスモノクローナル抗体及び捕捉抗体である抗インフルエンザウイルスモノクローナル抗体の量などを調整することは、当業者といえども容易に想起し得たこととはいえない。
　なお、甲１１及び甲１２から把握されるラテラルフロー用テストストリップの構成部材をブロッキングするという従来周知の技術（以下「周知技術１」という。）は、上記相違点１０の想到容易性の判断を左右するものではない。
ｄ　したがって、上記相違点５ないし９について検討するまでもなく、本件訂正発明２は、甲１発明、甲２技術事項及び周知技術１に基づいて当業者が容易に発明をすることができたものとはいえない。
（イ）本件訂正発明６、７及び１０について
　本件訂正発明６、７及び１０は、本件訂正発明２の発明特定事項を全て含むものであるところ、本件訂正発明２が甲１発明、甲２技術事項及び周知技術１に基づいて当業者が容易に発明をすることができたものとはいえないことは、上記（ア）で検討したとおりであるから、本件訂正発明６、７及び１０も本件訂正発明２と同じ理由により、甲１発明、甲２技術事項及び周知技術１に基づいて当業者が容易に発明をすることができたものとはいえない。
（ウ）本件訂正により請求項３ないし５、８、９及び１１ないし１８は削除されたため、本件訂正前の請求項３ないし５、８、９及び１１ないし１８に係る取消理由の対象となる請求項は存在しない。
ウ　甲２発明を主引用発明とした場合について
（ア）本件訂正発明２について
ａ　本件訂正発明２と甲２発明とを対比する。
（ａ）甲２発明の「発色」が、被測定物の反応により発生すること、「発色スピード」の「測定」が、「発色」を光学的に検出してその時間変化率を算出して行われること、及び「発色スピード」が、被測定物について判断するために基準値と比較されることは、いずれも明らかである。
（ｂ）甲２発明の「発色」及び「発色スピード」は、それぞれ本件訂正発明２の「光学的手法によって検出可能なシグナル」及び「シグナル増加率」に相当する。
（ｃ）甲２発明の「試験片Ｙ」と、本件訂正発明２の「ラテラルフロー用テストストリップ」は、「試験デバイス」で共通する。
（ｄ）上記（ａ）ないし（ｃ）を踏まえると、甲２発明の「単位時間当たりの発色スピードを測定するレートアッセイに用いる試験片Ｙ」と、本件訂正発明２の「分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から前記複合物と前記第二物質との反応が飽和するまでの時間よりも短い所定時間におけるシグナル増加率を、前記分析対象物と前記第一物質との反応開始時から前記所定時間までの前記シグナル強度の時間変化率を利用して算出し、算出した前記シグナル増加率を予め設定したシグナル増加率の基準値と比較することで前記分析対象物の濃度を判断するために使用されるラテラルフロー用テストストリップ」とは、「分析対象物の反応により発生する光学的手法によって検出可能なシグナルを光学的手法により測定し、測定した前記シグナルの強度から分析対象物の反応が飽和するまでの時間よりも短い所定時間におけるシグナル増加率を、前記分析対象物の反応開始時から前記所定時間までの前記シグナル強度の時間変化率を利用して算出し、算出した前記シグナル増加率を予め設定したシグナル増加率の基準値と比較することで、前記分析対象物について判断するために使用される試験デバイス」で共通する。
ｂ　そうすると、本件訂正発明２と甲２発明とは、
「　分析対象物の反応により発生する光学的手法によって検出可能なシグナルを光学的手法により測定し、測定した前記シグナルの強度から分析対象物の反応が飽和するまでの時間よりも短い所定時間におけるシグナル増加率を、前記分析対象物の反応開始時から前記所定時間までの前記シグナル強度の時間変化率を利用して算出し、算出した前記シグナル増加率を予め設定したシグナル増加率の基準値と比較することで、前記分析対象物について判断するために使用される試験デバイス」
の発明である点において一致し、次の相違点１１ないし１４において相違する。
（相違点１１）
　光学的手法によって検出可能なシグナルが、本件訂正発明２においては、「分析対象物と前記分析対象物に特異的親和性のある第一物質との反応によって形成された複合物と、前記分析対象物に特異的親和性のある第二物質と、を反応させることで発生する」のに対し、甲２発明においては、被測定物の反応により発生するものの、反応の詳細については特定されていない。
（相違点１２）
　分析対象物についての判断が、本件訂正発明２においては、「分析対象物の濃度を判断」するのに対し、甲２発明においては、判断の内容が特定されていない点。
（相違点１３）
　試験デバイスの構造について、本件訂正発明２は、「前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定され、ブロッキングされている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体は粒子径が２０ｎｍ〜１０００ｎｍの金コロイドであり、
　前記第二物質は抗体であって、前記第二支持体に幅０．５〜２．０ｍｍのライン状に１ｃｍあたり０．１〜２μｇとなる量が固定され、
　前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであ」る「ラテラルフロー用テストストリップ」であるのに対し、甲２発明は構造の詳細は特定されていない「試験片Ｙ」である点。
（相違点１４）
　本件訂正発明２は、「前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である」のに対し、甲２発明は、そのような相関係数が不明である点。
ｃ　事案に鑑み、最初に上記相違点１４について検討する。
　甲２には、発色スピードの算出方法及び算出タイミングについての詳細、並びに、発色スピードの反応飽和時の測定値に対する相関係数を開示又は示唆する記載は見当たらない。
　また、レートアッセイにおいて、測定の開始時から３分、４分、５分、６分経過時を始点とした１分間を測定時間としたときの、前記測定時間におけるシグナル強度の時間変化率の、反応飽和時における前記シグナル強度に対する相関係数が、０．９７１７以上０．９９９２以下とすることが、本件特許に係る出願の出願時における技術常識であったとも認められない。
　そうすると、甲２発明を、測定の開始時から３分、４分、５分、６分経過時を始点とした１分間を測定時間としたときの、前記測定時間における発色の時間変化率の、反応飽和時における前記発色に対する相関係数が、０．９７１７以上０．９９９２以下となるように構成することは、当業者といえども容易に想起し得たこととはいえない。
　なお、サンプルパッド、標識抗体を含む結合パッド、捕捉抗体を固定した検出部位を有するメンブレン及び吸収パッドを直列に連結させた従来周知なラテラルフロー用テストストリップの構造、並びに、上記周知技術１は、上記相違点１４の想到容易性の判断を左右するものではない。
ｄ　したがって、上記相違点１０ないし１３について検討するまでもなく、本件訂正発明２は、甲２発明、周知技術１及びその他の周知技術に基づいて当業者が容易に発明をすることができたものとはいえない。
（イ）本件訂正発明６、７及び１０について
　本件訂正発明６、７及び１０は、本件訂正発明２の発明特定事項を全て含むものであるところ、本件訂正発明２が甲２発明、周知技術１及びその他の周知技術に基づいて当業者が容易に発明をすることができたものとはいえないことは、上記（ア）で検討したとおりであるから、本件訂正発明６、７及び１０も本件訂正発明２と同じ理由により、甲２発明、周知技術１及びその他の周知技術に基づいて当業者が容易に発明をすることができたものとはいえない。
（ウ）本件訂正により請求項３ないし５、８、９及び１１ないし１８は削除されたため、本件訂正前の請求項３ないし５、８、９及び１１ないし１８に係る取消理由の対象となる請求項は存在しない。
（３）小括
　以上のとおりであるから、取消理由通知（決定の予告）に記載した取消理由によっては、本件請求項２、６、７及び１０に係る特許を取り消すことはできない。
第５　取消理由通知（決定の予告）において採用しなかった特許異議申立理由について
１　特許法第２９条第１項第３号に係る特許異議申立理由について
（１）申立人は、特許異議申立書において、本件の請求項１ないし１９に係る発明は、甲１に記載された発明であるから特許法第２９条第１項第３号に該当し、その特許は、特許法第２９条第１項の規定に違反してされたものであり、特許法第１１３条第２号に該当し、取り消されるべきものである旨主張している。
　しかしながら、上記第４（２）イで示したように、本件訂正発明２、６、７及び１０と甲１発明とは、少なくとも上記相違点１０において実質的に相違するから、本件訂正発明２、６、７及び１０は、甲１発明でない。
　よって、申立人の上記特許異議申立理由によっては、本件請求項２、６、７及び１０に係る特許を取り消すことはできない。
　なお、本件訂正により請求項１、３ないし５、８、９及び１１ないし１９は削除されたため、請求項１、３ないし５、８、９及び１１ないし１９に係る特許異議申立理由の対象となる請求項は存在しない。
（２）申立人は、特許異議申立書において、本件の請求項１ないし１９に係る発明は、甲２に記載された発明であるから特許法第２９条第１項第３号に該当し、その特許は、特許法第２９条第１項の規定に違反してされたものであり、特許法第１１３条第２号に該当し、取り消されるべきものである旨主張している。
　しかしながら、上記第４（２）ウで示したように、本件訂正発明２、６、７及び１０と甲１発明とは、少なくとも上記相違点１４において実質的に相違するから、本件訂正発明２、６、７及び１０は、甲２発明でない。
　よって、申立人の上記特許異議申立理由によっては、本件請求項２、６、７及び１０に係る特許を取り消すことはできない。
　なお、本件訂正により請求項１、３ないし５、８、９及び１１ないし１９は削除されたため、請求項１、３ないし５、８、９及び１１ないし１９に係る特許異議申立理由の対象となる請求項は存在しない。
２　特許法第２９条第２項に係る特許異議申立理由について
（１）申立人は、特許異議申立書において、周知例として以下の甲第３号証ないし甲第１０号証を提示し、本件の請求項１ないし１９に係る発明は、甲１に記載された発明又は甲２に記載された発明、及び、技術常識又は周知技術に基づいて当業者が容易に発明することができたものであるから、その特許は、特許法第２９条第２項の規定に違反してされたものであり、特許法第１１３条第２号に該当し、取り消されるべきものである旨主張している。
甲第３号証：特開２０００−３２１２７７号公報（以下「甲３」という。）
甲第４号証：特開２００６−２０１０６２号公報（以下「甲４」という。）
甲第５号証：特開２０１０−２０７１２３号公報（以下「甲５」という。）
甲第６号証：田中貴金属工業、金コロイドを用いた高感度体外診断薬キットの開発に成功、田中貴金属｜ニュース／リリース、２０１０年９月１日（以下「甲６」という。）
甲第７号証：特開平８−９４６２０号公報（以下「甲７」という。）
甲第８号証：生化学辞典、１９９８年１０月８日発行、第３版、ｐ．１０８６−１０８７，１２８８（以下「甲８」という。）
甲第９号証：特開２００２−１７１９７０号公報（以下「甲９」という。）
甲第１０号証：国際公開第２００５／０３８０４４号（以下「甲１０」という。）
（２）しかしながら、上記第４（２）イで検討したように、本件訂正発明２、６、７及び１０は、甲１発明、甲２技術事項及び周知技術１に基づいて当業者が容易に発明をすることができたものとはいえない。
　また、上記第４（２）ウで検討したように、本件訂正発明２、６、７及び１０は、甲２発明、周知技術１及びその他の周知技術に基づいて当業者が容易に発明をすることができたものとはいえない。
　甲３はクロマトの呈色度合いを光学的に定量測定する装置を、甲４は核酸クロマトグラフィーのプローブとしてオリゴヌクレオチドを用いることを、甲５は着色粒子に対する結合パートナーの結合を物理的吸着又は化学的結合により行うことを、甲６はＰＳＡを検出するイムノクロマト診断薬キットを、甲７は２時点間の吸光度変化量から濃度を決定するレート法を、甲８はビオチン及び補因子の説明を、甲９は組織免疫染色法を、甲１０はフローサイトメトリー法を、それぞれ開示している。
　しかしながら、甲３ないし１０が開示する事項は、上記相違点４、１０及び１４に係る「前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である」について、甲１１発明、甲１発明及び甲２発明における上記の相関係数の値が０．９７１７以上０．９９９２以下であるといえる根拠を示すものではないし、甲１１発明、甲１発明及び甲２発明において上記の相関係数の値が０．９７１７以上０．９９９２以下となるように調整することを動機付けるものでもない。
　よって、申立人の上記特許異議申立理由によっては、本件請求項２、６、７及び１０に係る特許を取り消すことはできない。
　なお、本件訂正により請求項１、３ないし５、８、９及び１１ないし１９は削除されたため、請求項１、３ないし５、８、９及び１１ないし１９に係る特許異議申立理由の対象となる請求項は存在しない。
３　特許法第３６条第４項第１号及び同条第６項第１号に係る特許異議申立理由について
（１）申立人は、特許異議申立書において、本件特許明細書等の発明の詳細な説明の記載は、当業者が請求項４、１１ないし１５、１８及び１９に係る発明の実施をすることができる程度に明確かつ十分に記載したものでないから、その特許は、発明の詳細な説明の記載が特許法第３６条第４項第１号に規定する要件を満たしていない特許出願に対してされたものであり、また、請求項４、１１ないし１５、１８及び１９に係る発明は、本件特許明細書等の発明の詳細な説明に記載したものでないから、その特許は、特許請求の範囲の記載が特許法第３６条第６項第１号に規定する要件を満たしていない特許出願に対してされたものであり、特許法第１１３条第４号に該当し、取り消されるべきものである旨主張している。
（２）しかしながら、本件訂正により請求項４、１１ないし１５、１８及び１９は削除されたため、請求項４、１１ないし１５、１８及び１９に係る特許異議申立理由の対象となる請求項は存在しない。
　なお、申立人が請求項４、１１ないし１５、１８及び１９に対して具体的に不備を指摘する事項について、本件訂正により請求項２、６、７又は１０に追加された事項はない。
４　特許法第３６条第６項第２号に係る特許異議申立理由について
（１）申立人は、特許異議申立書において、請求項１、５、１２及び１５に係る発明は明確でないから、その特許は、特許請求の範囲の記載が特許法第３６条第６項第２号に規定する要件を満たしていない特許出願に対してされたものであり、特許法第１１３条第４号に該当し、取り消されるべきものである旨主張している。
（２）本件訂正により請求項１、５、１２及び１５は削除されたため、請求項１、５、１２及び１５に係る特許異議申立理由の対象となる請求項は存在しないが、申立人が請求項１、５、１２及び１５に対して具体的に不備を指摘する事項のうち、本件訂正により請求項２、６、７又は１０に追加された事項について、以下検討する。
ア　請求項１に対して指摘する不備について
（ア）申立人は、「・・・測定し、・・・算出し、・・・判断し、」を、ラテラルフロー用テストストリップが行うという表現は日本語として不明瞭であり、また、ラテラルフロー用テストストリップの物としての構成を特定するものとは認められず、物の発明としての構成が技術的に十分に特定されていない旨主張している。
（イ）しかしながら、本件訂正により、申立人が指摘する請求項１の記載が追加された請求項２において、「・・・測定し、・・・算出し、・・・判断するために使用されるラテラルフロー用テストストリップであって、・・・」と訂正された結果、ラテラルフロー用テストストリップの用途を特定する記載であることが明確になった。
　また、請求項２では、サンプルパッド、結合パッド、第二支持体及び吸収パッドといった構成が特定されているから、物の発明としての構成が技術的に十分に特定されていないとはいえない。
　よって、申立人の上記主張は採用できない。
イ　請求項５に対して指摘する不備について
（ア）申立人は、請求項５に記載された「メンブレン」に関する説明が、引用する請求項１ないし４を含めて記載されておらず、明確でない旨主張している。
（イ）しかしながら、本件訂正により、独立項となった請求項２において、「・・・前記第二支持体は、・・・によって構成されるメンブレンであり、・・・」と訂正された結果、第二支持体がメンブレンであることが明確になった。
　よって、申立人の上記主張は採用できない。
ウ　請求項１５に対して指摘する不備について
（ア）申立人は、第二支持体の素材として、ポリカーボネートなど、疎水性を持ち、毛細管現象を利用して検査を進めるイムノクロマト法における固相支持体として明らかに適切でない素材が含まれており、明確でない旨主張している。
（イ）本件訂正により、第二支持体の素材を特定する記載は、請求項２に追加されたが、疎水性の素材を含むことにより、発明が明確でないとまではいえない。
　よって、申立人の上記主張は採用できない。
５　小括
　以上のとおりであるから、申立人の上記特許異議申立理由によっては、本件請求項２、６、７及び１０に係る特許を取り消すことはできない。
第６　請求項１、３ないし５、８、９及び１１ないし１９に対する特許異議の申立てについて
　本件特許の請求項１、３ないし５、８、９及び１１ないし１９は、上記第２で述べたとおり本件訂正が認められることにより、削除されたため、本件特許の請求項１、３ないし５、８、９及び１１ないし１９についての申立人がした特許異議の申立ては、その対象が存在しないものとなった。
　よって、本件特許の請求項１、３ないし５、８、９及び１１ないし１９についての申立人の特許異議の申立ては、不適法であって、その補正をすることができないものであるから、特許法第１２０条の８第１項で準用する同法第１３５条の規定により、却下すべきものである。
第７　むすび
　以上のとおりであるから、取消理由通知（決定の予告）に記載した取消理由及び特許異議申立書に記載した特許異議申立理由によっては、本件請求項２、６、７及び１０に係る特許を取り消すことはできない。
　また、他に本件請求項２、６、７及び１０に係る特許を取り消すべき理由を発見しない。
　そして、本件特許の請求項１、３ないし５、８、９及び１１ないし１９に対して申立人がした特許異議の申立ては、特許法第１２０条の８第１項で準用する同法第１３５条の規定によって却下すべきものである。
　よって、結論のとおり決定する。
【異議決定日】
令和１年１０月２３日（２０１９．１０．２３）
【訂正の要旨】
審決（決定）の【理由】欄参照。
（５７）【特許請求の範囲】
　【請求項１】
（削除）
　【請求項２】
　
分析対象物と前記分析対象物に特異的親和性のある第一物質との反応によって形成された複合物と、前記分析対象物に特異的親和性のある第二物質と、を反応させることで発生する、光学的手法によって検出可能なシグナルを光学的手法により測定し、測定した前記シグナルの強度から
い所定時間における
を、
し、算出した前記シグナル増加率を予め設定したシグナル増加率の基準値と比較することで前記分析対象物の濃度を判断するために使用されるラテラルフロー用テストストリップであって、
　前記分析対象物を含む試料が滴下される部材であるサンプルパッドと、
　前記試料が流れる方向に前記第一物質が標識された粒子である第一支持体が乾燥状態で保持されている結合パッドと、
　前記第二物質が化学結合または物理結合によって固定され、ブロッキングされている第二支持体と、
　前記第二支持体の下流に配置され、毛細管現象により浸潤してきた試料を吸収する吸収パッドと、
が直列に連結され、
　前記分析対象物は抗原であり、
　前記第一物質は抗体であり、
　前記第一支持体は粒子径が２０ｎｍ〜１０００ｎｍの金コロイドであり、
　前記第二物質は抗体であって、前記第二支持体に幅０．５〜２．０ｍｍのライン状に１ｃｍあたり０．１〜２μｇとなる量が固定され、
　前記第二支持体は、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、ニトロセルロース、シリコンの樹脂、それらの高分子化合物を含む共重合体あるいは複合体、石英ガラス、パイレックス（登録商標）ガラス、ソーダガラス、ホウ酸ガラス、ケイ酸ガラス、ホウケイ酸ガラス、セラミックス及びその複合体のいずれか１つによって構成されるメンブレンであり、
　前記測定の開始時から３分、４分、５分、６分経過時を始点とした１分間を測定時間としたときの、前記測定時間における前記シグナル強度の時間変化率の、前記複合物と前記第二物質との反応飽和時における前記シグナル強度に対する相関係数が、０．９７１７以上０．９９９２以下である
るラ
　【請求項３】
（削除）
　【請求項４】
（削除）
　【請求項５】
（削除）
　【請求項６】
　前記分析対象物と前記第一物質との反応は、前記分析対象物と前記第一物質とを混合する手段によって行われ
る請
２
　【請求項７】
　前記複合物と前記第二物質との反応は、前記分析対象物と前記第二物質とを混合する手段によって行われ
る請
２または請求項６
　【請求項８】
（削除）
　【請求項９】
（削除）
　【請求項１０】
　前記第一物質は、化学結合または物理結合によって
前記
２、請求項６、請求項７
　【請求項１１】
（削除）
　【請求項１２】
（削除）
　【請求項１３】
（削除）
　【請求項１４】
（削除）
　【請求項１５】
（削除）
　【請求項１６】
（削除）
　【請求項１７】
（削除）
　【請求項１８】
（削除）
　【請求項１９】
（削除）